(57)【要約】【課題】蓋体を閉蓋状態に保持するフック機構を無くし、その構造を簡素化すると共に、組立作業性を向上させ、かつ、使用性も向上させた化粧料コンパクト容器の提供を目的とする。【解決手段】内周面に摺動子係止凹部４１ｅが設けられた略筒形で、容器本体１の後部に設けられた挿着孔１ｄに回動不可に挿着される軸受部材４２と、この軸受部材の内部に、片側が相対回転可能かつ抜脱不可に挿着され、他方側が蓋体２の後部に設けられた係止孔２ｂに回動不可かつ抜脱不可に係止保持される軸４１と、前記軸の軸受部材で覆われた外周部分に出没可能に設けられた摺動子４４と、この摺動子を突出方向に付勢するコイルばね４３とで構成されるヒンジ具４を介して蓋体２を容器本体１に回動開閉可能に連結することとした。【選択図】図３
2005261729.tif 000002
【特許請求の範囲】
【請求項１】
内周面の所定位置に摺動子係止凹部が設けられた略筒形で、容器本体の後部に設けられた略同形状の挿着孔に回動不可に挿着される軸受部材と、
上記軸受部材の内部に相対回転可能かつ抜脱不可に挿着され、かつこの軸受部材から突出した箇所が蓋体の後部に設けられた係止孔に回動不可かつ抜脱不可に係止保持される軸と、
上記軸の軸受部材で覆われた外周部分に出没可能に設けられた摺動子と、
上記摺動子を突出方向に付勢するコイルばねとからなるヒンジ具で、容器本体に蓋体が回動開閉自在に連結されてなり、
蓋体の開閉操作に伴って、突出方向に付勢された摺動子が摺動子係止凹部と係脱することにより蓋体に回動付勢力が作用するようになされたことを特徴とする化粧料コンパクト容器。
【請求項２】
係止孔に挿着された軸の端面を覆うように、容器本体にカバー部材が装着されたことを特徴とする請求項１記載の化粧料コンパクト容器。
【発明の詳細な説明】
【技術分野】
【０００１】
本発明は、化粧料を収納するコンパクト容器に関し、詳しくは、蓋体をバネの付勢力で閉蓋することにより、蓋体を閉蓋状態に保持するフック機構を無くし、その構造を簡素化すると共に、取扱性も向上させた化粧料コンパクト容器に関する。
【背景技術】
【０００２】
従来、この種の化粧料コンパクト容器としては、容器本体の後部中央に凹部を設け、この凹部に、略へ字形の板バネをその一端を周壁に固定することにより、後方下向き傾斜状に取り付けると共に、蓋体を回動可能に枢支した軸と共に回動する部分を横長の三角柱状とすることにより、蓋体の回動に伴ってこの三角柱状の部分が板バネとせり合い、所定の回動位置で蓋体に回動付勢力が付与されるようにしたものがあった。（例えば、特許文献１参照）。
【０００３】
また、この他に上蓋と下蓋を回動可能に連結した枢支ピンを、摺動可能とすると共に、その先端が上蓋に設けられたピン孔に挿入される方向に付勢し、かつこの枢支ピンの先端に略Ｖ字形の突部を設け、前記ピン孔には、その内奥部に前記突部と係合する略Ｖ字形のカム溝を設けることにより、上蓋を下蓋に対して回動させることにより、前記突部をカム溝とせり合わせ、このことで上蓋に回動付勢力を作用させるようにしたものもあった。
【特許文献１】実用新案登録第２５８０８５３号公報（第２頁、第３図）
【特許文献２】特開２００３−３３４１１２号公報（第３頁、第４図）
【発明の開示】
【発明が解決しようとする課題】
【０００４】
上述した従来の化粧料コンパクト容器のうち、前者の特許文献１に示されたものは、開蓋時に板バネが使用者側に露呈するので、見苦しく、デザイン性が重視されるこの種の容器として、相応しい構造とは言えなかった。また、傾斜板状に後方に突出した板バネが、蓋体の三角柱状の枢着部分と接して、この蓋体に回動付勢力を作用させるようになっているので、蓋体の回動範囲が限られ、使用時や化粧料収納中皿の取り替え時などに、蓋体を大きく開放することができないという問題点も有していた。
【０００５】
また、後者の特許文献２に示されたものは、枢支ピン先端に設けられた略Ｖ字形の突部を、ピン孔の内奥部に設けられた略Ｖ字形のカム溝とせり合わせることにより、回動付勢力を発生させるようにしているが、コンパクト容器に用いる枢支ピンの太さには限界が有り、そのため、回動付勢力を生じさせるための摺接面を大きくすることができず、大きな付勢力を生じさせることが困難であると共に、その組立加工にも高い精度を要するという問題点があった。
【０００６】
また、この回動付勢力は、枢支ピンの摺動する方向と直交する方向に作用するので、枢支ピンに無理がかかり、摺動が円滑になされなかったり、ガタついたりするおそれがあると共に、ねじり力を受けたピンが破損するおそれもあり、そればかりか高い面圧を受ける摺接面が摩滅するおそれも高く、動作信頼性や耐久性にも問題があった。
【０００７】
本発明は、上記従来の化粧料コンパクト容器が有していた問題点の解決を課題とする。
【課題を解決するための手段】
【０００８】
上記の問題点を解決するために、本発明のうち、請求項１記載の発明は、ヒンジ具を介して容器本体に蓋体が回動開閉自在に連結された化粧料コンパクト容器において、上記ヒンジ具を、内周面の所定位置に摺動子係止凹部が設けられた略筒形で、容器本体の後部に設けられた略同形状の挿着孔に回動不可に挿着される軸受部材と、この軸受部材の内部に相対回転可能かつ抜脱不可に挿着され、かつこの軸受部材から突出した箇所が蓋体の後部に設けられた係止孔に回動不可かつ抜脱不可に係止保持される軸と、前記軸の軸受部材で覆われた外周部分に出没可能に設けられた摺動子と、この摺動子を突出方向に付勢するコイルばねとで構成した。そして、蓋体と容器本体の相対回動位置により、ヒンジ具の摺動子が摺動子係止凹部とせり合い、このことで蓋体に回動付勢力が作用するようにしたことを特徴とする。
【０００９】
請求項２記載の発明は、上記請求項１記載の発明の構成に、係止孔に挿着された軸の端面を覆うように、容器本体にカバー部材を装着した構成を加えたことを特徴とする。
【発明の効果】
【００１０】
本発明のうち、請求項１記載の発明では、所定回動位置で軸に回動付勢力が作用するヒンジ具を介して容器本体に蓋体を回動開閉自在に連結することとしたので、容器本体と蓋体には、その取り付けのための挿着孔や係止孔を設けるだけで良く、その構成が簡素化され、組み立ても容易になる。また、このヒンジ具は、容器本体と蓋体に対応した形状の挿着孔と係止孔が設けられていれば、取り付けることができるので、多種多様な化粧料コンパクト容器に対して、共通に用いることができ、その形状の変更にも容易に対応することができるという効果がある。
【００１１】
さらにこのヒンジ具の摺動子は、軸の回動方向と同じ方向に移動するようになっているので、軸にせん断力やねじり力などの無理な力が作用するおそれがなく、円滑な作動が約束される。また、この摺動子は、金属などで形成された軸受部材を介して容器本体の挿着孔内に挿入されるようになっているので、使用に伴う摩滅が生じ難く、長年にわたって所定の機能を発揮し得るという効果もある。
【００１２】
また、請求項２記載の発明は、係止孔に挿着された軸の端面を覆うように、容器本体にカバー部材を装着することとしたので、回動支点となるヒンジ具が外部から視認不可に塞がれ、体裁が良くなり、この種の容器として相応しい外観にすることができるという効果がある。
【発明を実施するための最良の形態】
【００１３】
以下、本発明を図示した実施の形態に基づき詳細に説明する。
【００１４】
図１は、本発明に係る化粧料コンパクト容器の最良の形態を示した分解斜視図、図２は、その組立状態を示す。図示したように、この化粧料コンパクト容器は、化粧料収納部１ａが設けられたトレイ状の容器本体１と、この容器本体１の後端側（図１において右手前側）に、その上面を開閉し得るように枢着される蓋体２と、前記容器本体１の下側を覆うように取り付けられるカバー部材３とで構成されている。
【００１５】
上記容器本体１は、後方に左右の側壁１ｂを延出した形状の突出部１ｃ，１ｅが設けられ、一方の突出部１ｃには、横方向に貫通するように挿着孔１ｄが設けられ、他方の突出部１ｃには、その内側面（挿着孔１ｄと対向する面）に突軸１ｆが突設されている。前記挿着孔１ｄは、後述するヒンジ具４の軸受部材（図６の符号４２参照）が回動不可に挿着されるものである。したがって、その形状は、図４並びに図５に示したように、軸受部材４２の外形とほぼ等しい前後に膨らんだ異形に形成されている。
【００１６】
上記蓋体２は、後部の下側に、左右に対向するように一対の軸受部２ａ，２ｃが突出形成されたものであり、片側の軸受部２ａには、所定形状の係止孔２ｂが設けられ、他方側の軸受部２ｃには、上記突軸１ｆが係合可能な係合孔２ｄが設けられている。
【００１７】
カバー部材３は、容器本体１の下側を覆えるように、上面が開放されたトレイ状に形成されたものであり、後壁３ａの左右両側には、上記突出部１ｃ，１ｅと軸受部２ａ，２ｃが嵌まり込むための切欠部３ｂが設けられている。
【００１８】
図６は、蓋体２の回動支点となるヒンジ具４を示しており、図示したように、このヒンジ具４は、片側にフランジ４１ａが設けられた軸４１と、この軸４１の他方側を覆うように取り付けられる略筒形の軸受部材４２、及び前記軸４１に出没可能に取り付けられる摺動子４４、この摺動子４４を突出方向に付勢するコイルばね４３とで構成されている。
【００１９】
上記軸４１は、ポリアセタールなどの硬質合成樹脂で形成されたものであり、片側に設けられたフランジ４１ａの先端側（図６において左手前側）には、軸方向のすり割りによって周方向へ四分割された係止突起４１ｃが設けられ、他方側（図６において右奥側）には、傘状の抜止突部４１ｄが設けられている。また、上記フランジ４１ａの外周には、 上述した蓋体２の係止孔２ｂの内周に設けられた係止突部（図３の符号２ｃ参照）と係合する係合溝４１ｂが設けられ、軸４１の外周面の所定位置には、コイルばね４３と、このコイルばね４３で外方付勢された摺動子４４が出没可能に収納される摺動子収納凹所４１ｅが設けられている。
【００２０】
上記軸受部材４２は、ステンレスなどの金属板を順送りプレスで片側が細径の筒状に絞り成形したものであり、その周囲を二箇所、軸線方向に沿って外方に膨らませ、その内側に内周面が湾曲状にへこんだ摺動子係止凹部４２ａ，４２ｂを形成している。
【００２１】
摺動子４４は、クロムモリブデン鋼やニッケルクロムモリブデン鋼などの金属材を用いて、金属射出成形法（ＭＩＭ）により成形されたものであり、稜線４４ａが軸線方向に沿った先端山形の略三角柱状で、下方に二本の脚部４４ｂ，４４ｂが突設されたものである。
【００２２】
コイルばね４３は、上記摺動子４４の脚部４４ｂが挿入可能な内径を有し、該脚部４４ｂの長さよりやや長い自然長を有したものである。
【００２３】
上記の各部で構成されるヒンジ具４は、軸４１の摺動子収納凹所４１ｅに、コイルばね４３を介在させて摺動子４４を押し込み、この状態で軸受部材４２を軸４１の片側から挿入し、係止突部４１ｄで抜け止めすることにより、、摺動子４４が軸受部材４２の内周面に押圧された状態で、軸受部材４２が軸４１に相対回動可能に取り付けられ、組み立てられるものである。
【００２４】
次にこのヒンジ具４を用いた化粧料コンパクト容器の組立手順について説明すると、まず、容器本体１の突出部１ｅに設けられた突軸１ｆが、蓋体２の軸受部２ｃに設けられた係合孔２ｄと係合するように、容器本体１の左右の突出部１ｃ，１ｅ間に、蓋体２の軸受部２ａ，２ｃ差し込み、容器本体１に蓋体２を被せる。この時、挿着孔１ｄが設けられた突出部１ｃは、係止孔２ｂが設けられた軸受部２ａと横方向に重なっているので、その外側（図１において左手前側）からヒンジ具４を、その先端（係止突起４１ｃが設けられた側）が、突出部１ｃの挿着孔１ｄを通して軸受部２ａの係止孔２ｂに挿入されるように押し込む。なお、この時、フランジ４１ａに設けられた係合溝４１ｂが係止孔２ｂの内周に設けられた係止突部２ｃと係合するように位置合わせをすると共に、軸受部材４２の摺動子係止凹部４２ａ，４２ｂが設けられた外側の膨らんだ箇所が、挿通孔１ｄの内周に設けられた凹部１ｇと係合するようにその位置合わせをする。
【００２５】
そして、この状態で軸４１を押し込むと、先端にすり割状に設けられた４つの係止突起４１ｃが、細径とされた係止孔２ｂの出口側（係合孔２ｄと向き合った側）でせり合い、互いに内方に撓むように湾曲され、やがてその先端が係止孔２ｂの他方の出口側に突出すると、係止突起４１ｃは自身の弾性復元力で元の状態へと復帰し、先端の鉤部４１ｆが図３に示すように係止孔２ｂの周縁に引っ掛かり、抜け止めされる。このようにしてヒンジ具４が取り付けられ、蓋体２は、このヒンジ具４を支点として回動可能に容器本体１に連結されるものである。この時、軸４１のフランジ４１ａに設けられた係合溝４１ｂは、上述したように係止孔２ｂの内周に設けられた係止突部２ｃと係合しているので、軸４１は係止孔２ｂに回動不可に連結され、蓋体２と共に回動するようになっている。また、軸受部材４２は、その外側に膨らんだ箇所が挿通孔１ｄの内周に設けられた凹部１ｇに嵌り込んでいるので、挿着孔１ｄの内部で自由に回動することはできず、蓋体２を開閉した際には、軸４１が軸受部材４２に対してその内部で相対的に回動するようになっている。
【００２６】
以上のようにして、蓋体２が容器本体１にヒンジ具４を介して開閉回動可能に連結され、その後、容器本体１の下側にカバー部材３を嵌め込むことにより、本発明の化粧料コンパクト容器は完成するものである。
【００２７】
次に、上記構成を有する本発明の化粧料コンパクト容器の機能について述べると、まず閉蓋状態では、コイルばね４３で突出付勢された摺動子４４は、図４に示すようにその先端が軸受部材４２の摺動子係止凹部４２ａ内に嵌り込んでおり、摺動子４４が取り付けられた軸４１は、蓋体２の係止孔２ｂに回動不可に挿着され、軸受部材４２は、容器本体１の挿通孔１ｄに回動不可に挿着されているので、軸４１は自由に回動することができず、軸４１と一体の蓋体２は、閉蓋状態を維持するようになっている。
【００２８】
そして、使用に際して開蓋するには、まず蓋体２の先端側（図４において左側）を持ってある程度の力でこの蓋体２を容器本体１から離れる方向に引き上げれば良く、このことで摺動子係止凹部４２ａ内に先端が嵌り込んだ摺動子４４は、軸４１と共に回動し、その先端が摺動子係止凹部４２ａから軸受部材４２の内周面側へと滑り、移動する。この時、軸受部材４２の内周面は、摺動子係止凹部４２ａより内方、即ち、軸心側に位置しているので、移動に伴って摺動子４４は、コイルばね４３の付勢力に抗して摺動子収納凹所４１ｅ内に押し込まれる。図５は、このようにして摺動子４４が軸４１内に押し込まれた状態を示しており、この状態では、摺動子４４の先端は軸４１の外周面と面一となっており、蓋体２には回動付勢力は作用しない。
【００２９】
そして、この状態からさらに蓋体２を開放すると、摺動子４４は、他方（図５において左側）の摺動子係止凹部４２ｂ側へと移動し、その近傍位置でコイルばね４３の付勢力によりこの摺動子係止凹部４２ｂ内に嵌まり込むように押し出され、このときの力が蓋体２を開放方向に回動させる付勢力として作用し、やがて摺動子４４が摺動子係止凹部４２ｂ内に嵌り込むことにより、それ以上の移動が規制され、蓋体２はその位置で開放状態に係止保持される。なお、この蓋体２が開放保持される位置は、摺動子係止凹部４２ｂを設ける位置を変えることにより、任意の位置に設定することができる。また、同様の摺動子係止凹部４２ｂを異なる位置に複数、設けても良く、このようにすれば、使用し易い位置で蓋体２を係止保持することができ、都合が良い。
【００３０】
以上のようにして蓋体２を開放し、化粧料収納部１ａに収納された化粧料（図示せず）を用いて化粧を行った後は、上記と反対に蓋体２を閉蓋方向に回動させれば良く、この時も初期の回動時に摺動子４４がコイルばね４３の付勢力に抗して押し込まれるため、多少の反発力はあるが、その後は円滑に回動する。そして、閉蓋近傍位置になると、今度は摺動子４４が後側の摺動子係止凹部４２ａ内に押し出されることにより、蓋体２には閉蓋方向の付勢力が作用する。よって、蓋体２は閉蓋方向へと回動し、このようにして閉蓋が完了すると、摺動子４４は、摺動子係止凹部４２ａ内に嵌り込み、蓋体２の不用意な開放を阻止し、蓋体２はフック機構を用いなくても閉蓋状態に保持されるものである。
【００３１】
以上のようにして本発明の化粧料コンパクト容器では、蓋体２の開閉がなされ、使用に供されるものである。
【００３２】
なお、図示した例では、容器の前側から見て右側の枢支点をヒンジ具で構成し、他方側を突軸で枢支するようにしたものを示したが、本発明の化粧料コンパクト容器は、所定回動位置で付勢力が作用する同様のヒンジ具を用いて蓋体が容器本体に回動可能に取り付けられるものであれば良く、ヒンジ具は左右の枢支点の何れの側に取り付けられるものであっても良い。また、蓋体が大きなもので、ひとつのヒンジ具では回動付勢力が不足する場合や、左右の枢支点のスパンが長く、片側にのみ力が加わると撓みを生じて円滑な開閉動作が行えない場合には、同じヒンジ具を左右の枢支点に対象に用いて、その協同動作により、強い付勢力を発生させたり、左右のバランスをはかって円滑な動作をさせるようにしても良い。
【図面の簡単な説明】
【００３３】
【図１】本発明に係る化粧料コンパクト容器の最良の形態を示した分解斜視図である。
【図２】化粧料コンパクト容器の組立状態の斜視図である。
【図３】要部の横断面図である。
【図４】閉蓋時の要部の縦断面図である。
【図５】開放途中の要部の縦断面図である。
【図６】ヒンジ具の分解斜視図である。
【符号の説明】
【００３４】
１  容器本体
１ａ  化粧料収納部
１ｂ  側壁
１ｃ，１ｅ  突出部
１ｄ  挿着孔
１ｆ  突軸
１ｇ  凹部
２  蓋体
２ａ，２ｃ  軸受部
２ｂ  係止孔
２ｄ  係合孔
３  カバー部材
３ａ  後壁
３ｂ  切欠部
４  ヒンジ具
４１  軸
４１ａ  フランジ
４１ｂ  係合溝
４１ｃ  係止突起
４１ｄ  抜止突部
４１ｅ  摺動子収納凹所
４１ｆ  鉤部
４２  軸受部材
４２ａ，４２ｂ  摺動子係止凹部
４３  コイルばね
４４  摺動子
４４ａ  稜線
４４ｂ  脚部
【図１】
2005261729.tif 000003
【図２】
2005261729.tif 000004
【図３】
2005261729.tif 000005
【図４】
2005261729.tif 000006
【図５】
2005261729.tif 000007
【図６】
2005261729.tif 000008